(57)【要約】      （修正有）【課題】ベビーチェアの安定性と安全性を向上させるベビーチェア用支持座を提供する。【解決手段】ベビーチェアの枠体のロアフレーム枠上に着脱可能に取り付けられるベビーチェア用支持座であって、本体１０と、少なくとも一つの係合部材２０Ａと、少なくとも一つの当接部材３０Ａとを備え、本体１０は、ロアフレーム枠の前方に位置するフロントアーム１１と、フロントアーム１１の両端からロアフレーム枠に向かって延伸する二つのサイドアーム１２とを含み、少なくとも一つの係合部材２０Ａは、本体１０のサイドアーム１２上に設置され、枠体の横バーに係合するのに用いられ、少なくとも一つの当接部材３０Ａは、本体１０のサイドアーム１２の後端に設置され、枠体のロアフレーム枠の二つのロアアームに当接するのに用いられる。【選択図】図１
0003232086.tif 000002
【実用新案登録請求の範囲】
【請求項１】
ベビーチェアの枠体のロアフレーム枠上に着脱可能に取り付けられるベビーチェア用支持座であって、本体と、少なくとも一つの係合部材と、少なくとも一つの当接部材とを備え、
前記本体は、前記ロアフレーム枠の前方に位置するフロントアームと、該フロントアームの両端から該ロアフレーム枠に向かって延伸する二つのサイドアームとを含み、
前記少なくとも一つの係合部材は、前記本体のサイドアーム上に設置され、前記枠体の横バーに係合するのに用いられ、
前記少なくとも一つの当接部材は、前記本体のサイドアームの後端に設置され、前記枠体のロアフレーム枠の二つのロアアームに当接するのに用いられることを特徴とするベビーチェア用支持座。
【請求項２】
前記少なくとも一つの係合部材の数は一つであり、該係合部材が前記二つのサイドアーム上を跨ぐように設置されることを特徴とする請求項１に記載のベビーチェア用支持座。
【請求項３】
前記少なくとも一つの係合部材の数は二つであり、該二つの係合部材がそれぞれ、前記二つのサイドアーム上に設置されることを特徴とする請求項１に記載のベビーチェア用支持座。
【請求項４】
前記係合部材は、Ｃ字型係合部を含み、該Ｃ字型係合部の後側面に係合凹部が形成されることを特徴とする請求項２に記載のベビーチェア用支持座。
【請求項５】
前記各係合部材は、Ｃ字型係合部を含み、該Ｃ字型係合部の後側面に係合凹部が形成されることを特徴とする請求項３に記載のベビーチェア用支持座。
【請求項６】
前記係合部材は、二つのサブ係合部を含み、該二つのサブ係合部がそれぞれ、前記Ｃ字型係合部の両側から突出するように形成されることを特徴とする請求項４に記載のベビーチェア用支持座。
【請求項７】
前記各係合部材は、サブ係合部を含み、該サブ係合部が、前記Ｃ字型係合部の外側へ突出するように形成されることを特徴とする請求項５に記載のベビーチェア用支持座。
【請求項８】
前記係合部材のＣ字型係合部の底部に、前方へ延伸するように形成される少なくとも一つの第１取付部と、後方へ延伸するように形成される少なくとも一つの第２取付部が設けられることを特徴とする請求項６に記載のベビーチェア用支持座。
【請求項９】
前記各係合部材のＣ字型係合部の底部に、前方へ延伸する第１取付部と、後方へ延伸する第２取付部が設けられることを特徴とする請求項７に記載のベビーチェア用支持座。
【請求項１０】
前記少なくとも一つの当接部材の数は一つであり、該当接部材が、前記二つのサイドアームの後端の間を跨ぐように設置されることを特徴とする請求項１から請求項９のいずれか１項に記載のベビーチェア用支持座。
【請求項１１】
前記少なくとも一つの当接部材の数は二つであり、該二つの当接部材がそれぞれ、前記二つのサイドアームの後端に設置されることを特徴とする請求項１から請求項９のいずれか１項に記載のベビーチェア用支持座。
【請求項１２】
前記当接部材における、相対する両外側面にそれぞれ、当接凹部が形成されることを特徴とする請求項１０に記載のベビーチェア用支持座。
【請求項１３】
前記各当接部材の外側面に当接凹部が形成されることを特徴とする請求項１１に記載のベビーチェア用支持座。
【請求項１４】
前記当接部材の当接凹部の内面に、複数の当接リブが形成されることを特徴とする請求項１２に記載のベビーチェア用支持座。
【請求項１５】
前記各当接部材の当接凹部の内面に、複数の当接リブが形成されることを特徴とする請求項１３に記載のベビーチェア用支持座。
【考案の詳細な説明】
【技術分野】
【０００１】
本考案は、ベビーチェアの構造的改良に関し、主にベビーチェアに取り付けられるベビーチェア用支持座に関するものである。
【背景技術】
【０００２】
従来のベビーチェアは、枠体、着座部、背もたれ、及びテーブル板を備え、該枠体は、ロアフレーム枠、横バー、及び二つのアッパー支持部材を含み、該ロアフレーム枠は、間隔を置いて配置される二つのロアアームを有し、該二つのロアアームの間に該横バーが設置され、該二つのアッパー支持部材がそれぞれ、該二つのロアアームの前端に設置され、該着座部が該二つのアッパー支持部材の間に設置され、該背もたれが、該着座部の上方側に配置されるように該二つのアッパー支持部材の間に設置され、該テーブル板が、該背もたれの前方側に配置されるように該二つのアッパー支持部材の間に設置される。
【０００３】
当該ベビーチェアを使用する時は、乳幼児を着座部に位置させ、食べ物をテーブル板上に置いて乳幼児に食べさせるが、着座している乳幼児が前方へ移動したり、または該テーブル板上にかかる重量が重すぎる場合、当該ベビーチェアが前に倒れたりして乳幼児が怪我をする恐れがあるので、従来のベビーチェアの安定性や安全性を向上させる必要があった。
【考案の概要】
【考案が解決しようとする課題】
【０００４】
本考案は、ベビーチェアの安定性と安全性を向上させるベビーチェア用支持座を提供することを目的としている。
【課題を解決するための手段】
【０００５】
上記目的を達成するために、本考案は、ベビーチェアの枠体のロアフレーム枠上に着脱可能に取り付けられるベビーチェア用支持座であって、本体と、少なくとも一つの係合部材と、少なくとも一つの当接部材とを備え、
前記本体は、前記ロアフレーム枠の前方に位置するフロントアームと、該フロントアームの両端から該ロアフレーム枠に向かって延伸する二つのサイドアームとを含み、
前記少なくとも一つの係合部材は、前記本体のサイドアーム上に設置され、前記枠体の横バーに係合するのに用いられ、
前記少なくとも一つの当接部材は、前記本体のサイドアームの後端に設置され、前記枠体のロアフレーム枠の二つのロアアームに当接するのに用いられることを特徴とするベビーチェア用支持座に関する。
【考案の効果】
【０００６】
上記の技術特徴によれば、ベビーチェアの枠体上に取り付けられる、本考案に係るベビーチェア用支持座は、少なくとも一つの係合部材を該枠体の横バーに係合することや、少なくとも一つの当接部材を該枠体のロアフレーム枠の二つのロアアームに当接させることにより、装着安定性を確保し、また、該ベビーチェア用支持座の本体のフロントアームを、当該ベビーチェアのロアフレーム枠の前方に設置して該ベビーチェアの底部の支持面積を増大させることにより、該ベビーチェア内に収容されている乳幼児が前方に行き過ぎたり、またはテーブル板上にかかる重量が重すぎる場合であっても、当該ベビーチェアが、本考案のベビーチェア用支持座により支持されるので、前に倒れることがなく、ベビーチェアの安定性と安全性を向上させる目的を達成できる。
【図面の簡単な説明】
【０００７】
【図１】本考案に係るベビーチェア用支持座の第１実施例の斜視図である。
【図２】図１を別の角度から見た斜視図である。
【図３】本考案に係るベビーチェア用支持座の第２実施例の斜視図である。
【図４】本考案に係るベビーチェア用支持座の第１実施例における使用状態を示す模式図である。
【図５】図４を別の角度から見た模式図である。
【図６】図４の底面視模式図である。
【図７】図４の側面視模式図である。
【図８】図７のＡ―Ａ線断面図である。
【図９】図８のＢ―Ｂ線断面図である。
【図１０】図８のＣ―Ｃ線断面図である。
【考案を実施するための形態】
【０００８】
図４〜図７に示すように、本考案に係るベビーチェア用支持座は、ベビーチェア４０の枠体４１のロアフレーム枠４３上に着脱可能に取り付けられ、図１〜図３に示すように、該ベビーチェア用支持座は、本体１０、少なくとも一つの係合部材２０Ａ、２０Ｂ、及び少なくとも一つの当接部材３０Ａ、３０Ｂを備える。
【０００９】
図１、図３、図４及び図７に示すように、前記本体１０は、フロントアーム１１及び二つのサイドアーム１２を含み、該フロントアーム１１は、前記ロアフレーム枠４３の前方に位置し、該二つのサイドアーム１２は、該フロントアーム１１の両端から該ロアフレーム枠４３に向かって延伸するように設けられる。
【００１０】
図１、図３、図８及び図１０に示すように、前記枠体４１の横バー４４に係合するために用いられる、前記少なくとも一つの係合部材２０Ａ、２０Ｂは、前記本体１０の二つのサイドアーム１２上に設置される。尚、図１、図２では、前記少なくとも一つの係合部材２０Ａの数が二つであり、該二つの係合部材２０Ａはそれぞれ、前記二つのサイドアーム１２上に設置され、該各係合部材２０ＡはＣ字型係合部２１を含み、該Ｃ字型係合部２１の後側面に係合凹部２２が形成され、その底部に、前方に向かって延在する第１取付部２４、及び後方に向かって延在する第２取付部２５が設けられ、さらに、該各係合部材２０Ａは、該Ｃ字型係合部２１の外側へ突出するように設けられるサブ係合部２３を含む。一方、図３は、本考案に係るベビーチェア用支持座の他の実施例を示したものであって、少なくとも一つの係合部材２０Ｂの数が一つであり、該係合部材２０Ｂは、前記二つのサイドアーム１２上を跨ぐように設置されると共に、Ｃ字型係合部２１を含み、該Ｃ字型係合部２１の後側面に係合凹部２２が形成され、その底部に、前方に向かって延在する少なくとも一つの第１取付部２４、及び後方に向かって延在する少なくとも一つの第２取付部２５が設けられ、さらに、該係合部材２０Ｂは、二つのサブ係合部２３を含み、該二つのサブ係合部２３が間隔を置いて、該Ｃ字型係合部２１の外側へ突出するように設けられる。尚、図１０は、前記横バー４４が、前記二つの係合部材２０Ａの係合凹部２２内に差し込まれて、前記Ｃ字型係合部２１によって位置決め係止される状態を示したものである。
【００１１】
図１、図３、図８及び図９に示すように、前記少なくとも一つの当接部材３０Ａ、３０Ｂは、前記枠体４１のロアフレーム枠４３の二つのロアアーム４５に当接するために用いられる構造体であって、前記本体１０のサイドアーム１２の後端に設置される。図１、図２では、前記少なくとも一つの当接部材３０Ａの数が二つであり、該二つの当接部材３０Ａはそれぞれ、前記二つのサイドアーム１２の後端に設置され、該各当接部材３０Ａの外側面上に当接凹部３１が形成され、一方、図３では、該少なくとも一つの当接部材３０Ｂの数が一つであり、該当接部材３０Ｂは、該二つのサイドアーム１２の後端の間を跨ぐように設置される。更に、前記当接凹部３１の内面に複数の当接リブ３２が設けられ、前記ロアアーム４５が、対応する前記当接部材３０Ａ、３０Ｂの当接凹部３１に取り付けられると、対応する当接部材３０Ａ、３０Ｂの当接リブ３２に当接される。
【００１２】
図６〜図８に示すように、ベビーチェア４０に装着される、本考案に係るビーチェア支持座によれば、当該ベビーチェア４０の底部の支持面積が増加し、詳しく述べると、本考案のベビーチェア用支持座を、ベビーチェア４０のロアフレーム枠４３の前方に突出するように装着すると、当該ベビーチェア４０内に収容されている乳幼児が前方に行き過ぎ、またはテーブル板４２上にかかる重量が重すぎた場合、当該ベビーチェア４０における反時計回りのモーメントが作用するのに対し、該ベビーチェア用支持座に反力が生じて、当該ベビーチェア４０に時計回りのモーメントを与え、この反時計回りのモーメントを相殺する。これにより、当該ベビーチェア４０は、前に倒れたり、傾いたりすることなく、優れた安定性と安全性を得られることから、当該ベビーチェア４０に収容されている乳幼児が前方に行き過ぎたときでも、当該ベビーチェア４０と一緒に倒れて怪我する心配はほとんどなく、着座している乳幼児を安全に保護することができる。
【００１３】
さらに、図８に示すように、前記係合部材２０Ａは、前記サブ係合部２３が設けられることにより、係合面積が増加して係合の安定性が高められ、それに加え、本考案のベビーチェア用支持座の本体１０の二つのサイドアーム１２の後端に設置された二つの当接部材３０Ａが、ベビーチェアの二つのロアアーム４５に当接されることにより、該ベビーチェア用支持座に重量がかかった場合でも、該本体１０のサイドアーム１２の変形を抑えることができるので、該サイドアーム１２上の係合部材２０Ａが、前記横バー４４からずれたり、外れたりすることを防止し、該係合部材２０Ａと横バー４４との係合の安定性を確保することができる。
【符号の説明】
【００１４】
１０                本体
１１                フロントアーム
１２                サイドアーム
２０Ａ、２０Ｂ      係合部材
２１                Ｃ字型係合部
２２                係合凹部
２３                サブ係合部
２４                第１取付部
２５                第２取付部
３０Ａ、３０Ｂ      当接部材
３１                当接凹部
３２                当接リブ
４０                ベビーチェア
４１                枠体
４２                テーブル板
４３                ロアフレーム枠
４４                横バー
４５                ロアアーム
【図１】
0003232086.tif 000003
【図２】
0003232086.tif 000004
【図３】
0003232086.tif 000005
【図４】
0003232086.tif 000006
【図５】
0003232086.tif 000007
【図６】
0003232086.tif 000008
【図７】
0003232086.tif 000009
【図８】
0003232086.tif 000010
【図９】
0003232086.tif 000011
【図１０】
0003232086.tif 000012